(57)【要約】【課題】男性が起立して小便をする際、洋式便器及びその周囲の床・壁への尿飛散による汚染防止を図る小便器装置の提供。【解決手段】本小便器装置は水洗方式を採用し、伸縮排水管２及び卵型小便器１内の奥壁に尿飛散防止メッシュ１ｂを具備した卵型小便器装置１とこれを定位置に移動させるスタンドアーム３ａ〜３ｆ及びスタンドアーム台座５から構成されるが、水洗方式採用の水洗ホース６ａ〜６ｄを全て図１に示す小便器装置内に収容し、狭いトイレ内の煩雑化を無くし美観上好適であり、トイレ内の尿飛散による汚染を防止し常に清潔なトイレ空間を保つ事が出来る小便器装置である。【選択図】図１
2018155086.tif 000002
【特許請求の範囲】
【請求項１】
卵型小便器内に尿飛散防止メッシュ・洗浄水放出弁・放出洗浄水方向変更翼を配置し、更に排水管傾斜用ジャバラ及び排水後の尿・排水垂れを防ぐ排水管キャップを具備した伸縮排水管と小便器扉を設けた卵型小便器。
【請求項２】
請求項１に記載した卵型小便器を把持し定位置に移動する為の１軸から６軸までの回転・移動軸を具備し、洗浄水供給ホースを内部に収容可能としたスタンドアーム及びスタンドアームを支持するスタンドアーム台座。
【発明の詳細な説明】
【技術分野】
【０００１】      本発明は洋式便器での男性の起立しての小用時に尿の飛散がある為、これを防止する洋式便器と併用する図１に示す小便器装置を使用する事により、尿の飛散防止を図る小便器装置に関するものである。
【背景技術】
【０００２】      現状の洋式便器は一般家庭及び種々の建物施設で設置利用されているものの、公共性のある建物施設では男性用小便器が別途設置されているが、しかし一般家庭ではトイレスペース及び設置コスト面から男性用小便器を設置利用しているケースは殆ど無い状況である。【０００３】      しかし洋式便器にて男性が小便する場合、便器内溜め水の飛散及び尿が便器回り・床・壁等に飛散し、この溜め水の飛散水・飛散尿の掃除が大変な作業となっており、特に家庭での主婦からの苦情が多く、男性は小便時便座に座って小用を強いられるケースが多く出ている。【０００４】      これを解決する為の洋式便器は開発されていないのが現状であり、一方で洋式便器と併用の小便器及び飛散防具も発明されている様であるが、水洗方式でない・配管がむき出しである・小便器の掃除が頻繁に必要・美観上問題がある等で開発普及まで至っていないのが現状である。
【発明の概要】
【発明が解決しようとする課題】
【０００５】      現在の洋式便器は人が便器に腰掛ける事を基本としており、便器に腰を掛けて大便及び女性の小用を目的としている為、現在の洋式便器は男性の起立しての小便の尿飛散には対応しておらず、又便器メーカーもこの尿飛散に対応する製品を開発製品化していない。【０００６】      本発明は現在の洋式便器と併用し小便器装置をコンパクト化・水洗方式の採用とし図１９・図２０に示す水洗水取り込みホース６ａ・６ｂ・６ｃ・６ｄを小便器装置の内部に配置する事により衛生面及び美観上からも好ましく、男性の起立しての小便の尿飛散を防止する事に重点を置いて発明されたものである。
【課題を解決するための手段】      今、その構成を説明すると【０００７】      図１に示す通り本小便器装置は卵型小便器１・伸縮排水管２・スタンドアーム部３ａ，３ｂ，３ｃ，３ｄ，３ｅ，３ｆ・スタンド台座５から構成される。【０００８】      卵型小便器１の内部奥面には図３・図９に示す通りステンレス製の網目４０〜６０メッシュの尿飛散防止メッシュ１ｂを小便器内部奥面より約１ｃｍ浮かして取り付け、卵型小便器１の下部には図１５の尿及び洗浄水の洋式便器への排出の為の排水管に傾斜可能とするジャバラ２ｃと排水管キャップ２ａを配置した伸縮可能な排水管２を設ける。【０００９】      図１に示す卵型小便器１を把持するスタンド部には回転軸３ａ・３ｂ・３ｃ・３ｅ及びスライド軸３ｄ・７の６軸を設け、回転軸は各々角度１８０°回転可能とし、この回転軸及びスライド軸により人の身長差及び小便位置を種々選択可能となる。【００１０】      図１に示す通りスタンドアーム台座５には水道水流入・流止の洗浄水開閉足ボタンスイッチ６及び台座内部目隠しの台座カーテン５ａを設け、洗浄水開閉足ボタンスイッチ６は踏み込んでいる間のみ水道水が流入する事により図１９・図２０に示す洗浄水ホース６ａ・６ｂ・６ｄには常時水圧がかからない様にしている。【００１１】      図２０に示すスタンドアーム台座５の内部にはスタンド前後移動台車５軸７・台車スライド台７ａ・水道管接続高圧ホース６ｃ・洗浄水ホース６ｄを収めることで美観上シンプルとなっている。【００１２】      卵型小便器１は外観・内壁面とも卵型をしており、内壁の卵型は洗浄水が図１１・図１２に示す洗浄水放出弁１ｃ及び図１０に示す放出洗浄水方向変更翼１ｄにより、小便器内部全面に行き渡り洗浄効果を上げる為に卵型としており、又外観は人に馴染み易い形としている。【００１３】      卵型小便器１の小便器扉１ａに具備する開閉の為の小便器扉開閉ステー１ｅは図１３に示すとおり卵型小便器１の外部にはみ出さない様にしている為美観上シンプルになっている。【００１４】      図１に示すスタンド部回転軸３ａ・３ｂ・３ｃは図２３に示すとおり２分割になり、各々反対方向のアームに固定され回転ブレーキの為の軸回転板バネ３ｃ−１を設け、１８０°以上回転しない様回転ストッパー３ｃ−２・３ｃ−３を具備しており、構造は回転軸３ａ・３ｂも３ｃに同一である。【００１５】      図１・図２２に示す上下スライドスタンド縦アーム４軸３ｄは縦アーム内面にスライドブレーキの為の上下スライドスタンド板バネ３ｄ−１を設ける事により、縦アームの位置固定が出来る。【００１６】      図２０・図２１に示すスタンド前後移動台車５軸７は台車片側各々２輪づつの台車車輪７ｂを設け前後移動し、回転スタンドアーム６軸３ｅの１８０°以上回転防止のスタンド回転ストッパー７ｃ・３ｅ−１を設けている。【００１７】      図１５・１６・１７・１８に示す伸縮排水管２は排水管の傾斜の為の排水管傾斜用ジャバラ２ｃとジャバラ内部には排水及び尿流れを良くする排水管傾斜用ジャバラ内シート管２ｄを具備し、伸縮排水管２は伸縮可能とし排水口には排水管の縮小時の排水管ストッパー２ｅを設け、さらに排水管の継ぎ目には図１７に示す防水用の樹脂輪又はゴム輪の排水管継ぎ目防水リング２ｆを設けている。
【発明の効果】
【００１８】      本小便器装置は現状設置の洋式便器に改造を加える必要はなく、洋式便器はトイレ壁との間隔が１８ｃｍ以上あれば設置可能となり、又洋式便器左右どちら側にも設置出来、小スペースのトイレにも設置可能である。【００１９】      卵型小便器１に放尿時尿飛散防止の為尿飛散防止メッシュ１ｂを設ける事により卵型小便器１外への尿飛散を防止でき、洋式便器周辺の汚れを防止出来る。【００２０】      又、卵型小便器１に人の体を接して放尿する為、放尿終了時の尿のしずく垂れ等を卵型小便器１外に飛散せる事を防止出来ので、洋式便器溜め水の飛散・放尿の散り小便の飛散防止も出来、又排水管キャップ２ａを設ける事により排水の垂れ防止と小便器装置収納動作時の洋式便器及び床等への汚れ防止が出来る。【００２１】      小便器装置のシンプル化の為、洗浄水ホース等を小便器装置内部に収納の為、美観上好ましくトイレ内が好環境である。【００２２】      本小便器装置は水洗方式採用の為、卵型小便器１を常時清潔に出来る。【００２３】      本小便器装置は外観は硬質樹脂を採用しており装置全体の軽量化を図り、スタンドアーム１軸から６軸迄の軸への加重負担を軽減しており、小便器装置の移動・設置が簡便に出来る。【００２４】      図２４に示す通り卵型小便器１を必ずしも洋式便器の真上で使用する必要はなく、伸縮排水管２の上端に設けた排水管傾斜用ジャバラ２ｃにより洋式便器真上以外への移動使用が可能である。
【図面の簡単な説明】
【００２５】
【図１】  小便器装置の全体斜視図である。
【図２】  小便器装置の使用状態の人と洋式便器との比較図である。
【図３】  小便器装置の使用状態の正面図である。
【図４】  小便器装置の使用状態の右側面図である。
【図５】  小便器装置の使用状態の左側面図である。
【図６】  小便器装置の使用状態の背面図である。
【図７】  小便器装置の使用状態の平面図である。
【図８】  小便器装置の収納図である。
【図９】  卵型小便器１の正面図である。
【図１０】  卵型小便器１前部のＡ−Ａ線断面図である。
【図１１】  卵型小便器１後部のＢ−Ｂ線断面斜視図である。
【図１２】  洗浄水放出弁１ｃ斜視図である。
【図１３】  小便器扉１ａ開閉斜視図である。
【図１４】  円筒型小便器１ｇの使用・収納の正面図である。
【図１５】  伸縮排水管２の使用・収納図である。
【図１６】  伸縮排水管２のＥ−Ｅ線断面図である。
【図１７】  伸縮排水管２のＥ−Ｅ線断面継ぎ目部拡大図である。
【図１８】  伸縮排水管２の排水口の斜視図である。
【図１９】  スタンドアームのＣ−Ｃ線・Ｄ−Ｄ線断面図である。
【図２０】  スタンドアーム台座５の内部斜視図である。
【図２１】  スタンドアーム台座５のＦ−Ｆ線断面図である。
【図２２】  スタンドアーム回転６軸３ｅのＤ−Ｄ線断面斜視図である。
【図２３】  スタンドアーム回転３軸３ｃの分解斜視図である。３ａ・３ｂとも共通である。
【図２４】  実施例２の小便器装置の使用例斜視図である。
【発明を実施するための形態】
【００２６】      以下にこの発明の実施例を図面に基づいて説明する。
【実施例１】
【００２７】      この小便器装置は図２に示すように、洋式便器の左右どちら側かに設置を決めスタンド横アーム３ｆを倒せる前後位置に位置決めして、本小便器装置のスタンドアーム台座５をボルトにて固定又はマジックテープ止め・両面テープ止め等にて固定する。【００２８】      本小便器装置の使用にあたっては図８の小便器装置の収納状態より開始するが、卵型小便器１の頭部の取手又はスタンドアームの取手を持ち、スタンドアーム台座５のスタンドアーム回転６軸３ｅを手前停止位置まで引き寄せる。【００２９】      次にスタンド横アーム３ｆを洋式便器の方へ卵型小便器１の頭部の取手を持ち角度９０°迄倒し（スタンド横アーム３ｆの倒しと卵型小便器１の垂直位置決めは１動作となる）、さらに伸縮排水管２の取手を持ち伸縮排水管２を下方へ引き伸ばし、排水管キャップ止め２ｂを開放するとバネ式により排水管キャップ２ａが自動的に跳ね上がる。【００３０】      次に小便器扉１ａを開き人の体が小便器開口部まで近寄り、この状態で放尿開始が出来る。【００３１】      次に放尿終了時にスタンドアーム台座５の水道水流入・流止の洗浄水開閉足ボタンスイッチ６を踏み込むが、踏み込んでいる間水道水が卵型小便器１に流れ込み、洗浄された洗浄水は伸縮排水管２を通り洋式便器に流れ込む。【００３２】      卵型小便器１の洗浄終了時点で伸縮排水管２を縮小し排水管キャップ２ａを閉じるが、排水管キャップ止め２ｂもバネ式により排水管キャップ２ａを閉じる時に排水管キャップ止め２ｂが押し開けられ排水管キャップ２ａをロックさせて小便器扉１ａを閉じる。【００３３】      次に卵型小便器１を収納するが収納は卵型小便器１の使用開始時の逆の動作をすることで図８の様に収納される。
【実施例２】
【００３４】      実施例１以外の使用例は卵型小便器１を洋式便器真上以外で使用する場合であり、排水管傾斜用ジャバラ２ｃを活用するがその使用例を図２４に示す。【００３５】      この場合伸縮排水管２は最長伸長に限度がある為この限度内の使用となり、伸縮排水管２を傾斜し洋式便器の便器淵にもたせ掛けて使用する。【００３６】      使用方法は実施例１に準じて使用する。
【実施例３】
【００３７】      実施例１・実施例２以外の使用として図８の小便器装置の収納状態において、小便器扉１ａを開き伸縮排水管２を伸長状態にしている場合は、放尿開始時迄の使用動作を短縮出来る。【００３８】      この使用動作は段落番号「００２９」の伸縮排水管２の引き伸ばしは必要なく、又段落番号「００３０」の小便器扉１ａの開く動作が必要ない為、通常は５ステップであるが３ステップの動作で使用開始出来る。
【実施例４】
【００３９】      卵型小便器１は卵型で説明して来たが図１４に示す円筒型小便器１ｇも使用出来、円筒型小便器１ｇの内部内壁は内部全面に洗浄水がいきわたる様卵型になっている。【００４０】      円筒型小便器１ｇの頭部には透明の覗き窓１ｇ−１を設け、この窓より放尿中・洗浄中の内部様子を覗き見る事が出来デザイン上もシンプル化を図っている。
【実施例５】
【００４１】      本小便器装置は和式便器での併用も可能であり、上下スライドスタンド縦アーム４軸３ｄにて高さ調節をする事により使用可能である。
【符号の説明】
【００４２】  １        卵型小便器
１ａ      小便器扉
１ｂ      尿飛散防止メッシュ（小便器内壁より約１ｃｍ浮かして取り付け）
１ｃ      洗浄水放出弁
１ｃ−１  小便器内周囲洗浄水放出口（洗浄水放出弁周囲４箇所）
１ｃ−２  飛散防止メッシュ洗浄水放出口（洗浄水放出弁底面３箇所）
１ｄ      放出洗浄水方向変更翼
１ｅ      小便器扉開閉ステー
１ｆ      洗浄水取り込み管
１ｇ      円筒型小便器
１ｇ−１  透明覗き窓
２        伸縮排水管
２ａ      排水管キャップ（スプリングバネ付き）
２ｂ      排水管キャップ止め（スプリングバネ付き）
２ｃ      排水管傾斜用ジャバラ
２ｄ      排水管傾斜用ジャバラ内シート管
２ｅ      排水管ストッパー
２ｆ      排水管継ぎ目防水リング
３ａ      スタンドアーム回転１軸（１８０°回転）
３ｂ      スタンドアーム回転２軸（１８０°回転）
３ｃ      スタンドアーム回転３軸（１８０°回転）
３ｃ−１  軸回転板バネ
３ｃ−２  軸回転ストッパー１
３ｃ−３  軸回転ストッパー２
３ｄ      上下スライドスタンド縦アーム４軸
３ｄ−１  上下スライドスタンド板バネ
３ｅ      スタンドアーム回転６軸（１８０°回転）
３ｅ−１  スタンド回転ストッパー１
３ｆ      スタンド横アーム
５        スタンドアーム台座
５ａ      台座カーテン
６        洗浄水開閉足ボタンスイッチ
６ａ      洗浄水ホース１
６ｂ      螺旋洗浄水ホース
６ｃ      水道管接続高圧ホース
６ｄ      洗浄水ホース２
７        スタンド前後移動台車５軸
７ａ      台車スライド台
７ｂ      台車車輪（台車両側各２輪）
７ｃ      スタンド回転ストッパー２
【図１】
2018155086.tif 000003
【図２】
2018155086.tif 000004
【図３】
2018155086.tif 000005
【図４】
2018155086.tif 000006
【図５】
2018155086.tif 000007
【図６】
2018155086.tif 000008
【図７】
2018155086.tif 000009
【図８】
2018155086.tif 000010
【図９】
2018155086.tif 000011
【図１０】
2018155086.tif 000012
【図１１】
2018155086.tif 000013
【図１２】
2018155086.tif 000014
【図１３】
2018155086.tif 000015
【図１４】
2018155086.tif 000016
【図１５】
2018155086.tif 000017
【図１６】
2018155086.tif 000018
【図１７】
2018155086.tif 000019
【図１８】
2018155086.tif 000020
【図１９】
2018155086.tif 000021
【図２０】
2018155086.tif 000022
【図２１】
2018155086.tif 000023
【図２２】
2018155086.tif 000024
【図２３】
2018155086.tif 000025
【図２４】
2018155086.tif 000026
【手続補正書】
【提出日】平成29年12月13日(2017.12.13)
【手続補正１】
【補正対象書類名】特許請求の範囲
【補正対象項目名】請求項１
【補正方法】変更
【補正の内容】
【請求項１】
外観及び内壁面とも卵形の卵型小便器内に尿飛散防メッシュ・洗浄水放出弁・放出洗浄水方向変更翼を配置し、更に排水管傾斜用ジャバラ及び排水後の尿・排水垂れを防ぐ排水管キャップを具備した伸縮排水管と小便器扉を設けた卵型小便器。